(57)【特許請求の範囲】
【請求項１】
互いに重なり合う筒体（１，２）のどちらか一方に、軸方向へ延びるすり割り部（３）を切欠形成し、他方の筒体（２）との圧入により、該すり割り部（３）の隙間が広狭しその外径を変化させて、両筒体（１，２）同士を嵌合したまま取り付ける筆記具用嵌合構造において、
上記すり割り部（３）を周方向へ複数切欠形成し、これらすり割り部（３）のどれか１つを他のすり割り部の軸方向長さよりも深く形成したことを特徴とする筆記具用嵌合構造。
【請求項２】
上記一方の筒体（１）が、筆記具（Ａ）の軸筒（Ａ１）に対して軸方向へ着脱自在に配置され、その外側面（１ａ）に沿って他方の筒体（２）を軸方向へ圧入嵌合したことを特徴とする請求項１記載の筆記具用嵌合構造。
【請求項３】
上記他方の筒体（２）が装飾リングであり、一方の筒体（１）の外側面（１ａ）に沿って装飾リング（２）を軸方向へ圧入嵌合し、この装飾リング（２）の外側面（２ａ）に、その軸方向へ係合する滑り止め部（２ｂ）を形成したことを特徴とする請求項１又は２記載の筆記具用嵌合構造。
【発明の詳細な説明】
【技術分野】
【０００１】
本発明は、例えばシャープペンシルやボールペンなどの筆記具において、複数に分割形成された筒状部品を相互に連結するための筆記具用嵌合構造に関する。
詳しくは、互いに重なり合う筒体のどちらか一方に、軸方向へ延びるすり割り部を切欠形成し、他方の筒体と圧入して、該すり割り部の隙間を広狭させることにより、その外径が縮径又は拡径変化して、両筒体同士を嵌合したまま取り付ける筆記具用嵌合構造に関する。
【背景技術】
【０００２】
従来、この種の筆記具用嵌合構造として、尾栓キャップ（蓋）の筒体に、その口縁と連通するすり割り部（割条）を形成し、この尾栓キャップの筒体を軸筒の後端開口内に挿入して、該筒体のすり割り部の隙間を狭くすることにより、その外径が縮径して容易に圧入されると共に、これら筒体の外周面と軸筒の後端内周面とが嵌合することで、両者を着脱自在に取り付けるものがある（例えば、特許文献１参照）。
また、軸筒が前軸（先軸）と後軸の端部同士を嵌合させることで着脱自在に連結され、前軸の後端開口部に二つのすり割り部を周方向へ等間隔毎に切欠形成し、この前軸の後端開口部に後軸の前端部を挿入して、該後端開口部のすり割り部の隙間を広げることにより、その外径が拡径して容易に圧入されるものもある（例えば、特許文献２参照）。
【０００３】
しかし乍ら、このような従来の筆記具用嵌合構造によれば、すり割り部の隙間を広狭させることで筒体の周方向全体が均等に縮径又は拡径するため、筒体の入れ易さを追求すると、筒体が抜け易くなって紛失事故などに発展する恐れがあるという問題があった。
また、これと逆に筒体の抜け難さを追求すると、筒体が入れ難くなって組立性能が劣り、製造に手間かがかかるという問題があった。
【特許文献１】実公昭２７−５６１５号公報（第１頁、第２−３図）
【特許文献２】実開昭６４−４８２９３号公報（第１頁、第１−２図）
【発明の開示】
【発明が解決しようとする課題】
【０００４】
本発明は、上記従来事情に鑑みてなされたもので、その課題とするところは、簡単な構造で入れ易さと抜け難さを両立させることが可能な筆記具用嵌合構造を提供することにある。
【課題を解決するための手段】
【０００５】
上記課題を解決するために、第一の発明では、互いに重なり合う筒体のどちらか一方に、軸方向へ延びるすり割り部を切欠形成し、他方の筒体との圧入により、該すり割り部の隙間が広狭しその外径を変化させて、両筒体同士を嵌合したまま取り付ける筆記具用嵌合構造において、上記すり割り部を周方向へ複数切欠形成し、これらすり割り部のどれか１つを他のすり割り部の軸方向長さよりも深く形成したことを特徴とする。
また、第二の発明では、上記第一の発明の構成に加えて、上記一方の筒体が、筆記具の軸筒に対して軸方向へ着脱自在に配置され、その外側面に沿って他方の筒体を軸方向へ圧入嵌合したことを特徴とする。
また、第三の発明では、上記第一又は第二の発明の構成に加えて、上記他方の筒体が装飾リングであり、一方の筒体の外側面に沿って装飾リングを軸方向へ圧入嵌合し、この装飾リングの外側面に、その軸方向へ係合する滑り止め部を形成したことを特徴とする。
【発明の効果】
【０００６】
本発明は、上記構成により下記の作用効果を奏する。
第一の発明によれば、一方の筒体に周方向へ複数切欠形成されたすり割り部のどれか１つを、他のすり割り部の軸方向長さに比べて深く形成することにより、深いすり割り部の形成箇所は径変化量が大きく、浅いすり割り部の形成箇所は径変化量が小さくて、周方向へ径変化量の偏り（片寄り）が生じ、この径変化量の偏りを利用して他方の筒体を押し込めば、スムーズに入って嵌合すると共に、この嵌合された他方の筒体に対して抜け方向への力が作用しても、周方向へ径変化量が小さい箇所が引っ掛かって抜け難い。
従って、簡単な構造で入れ易さと抜け難さを両立させることができる。
よって、すり割り部の隙間を広狭させることで筒体の周方向全体が均等に縮径又は拡径する従来技術と比べ、筒体が抜けによる紛失事故などを防止できると同時に、組立性能が優れて製造コストの低減も図れる。
【０００７】
第二の発明によれば、筆記具の軸筒に対して軸方向へ着脱自在に配置される一方の筒体の外側面に沿って他方の筒体を軸方向へ圧入嵌合することにより、軸筒から一方の筒体を取り外す度に他方の筒体をその抜け方向へ引っ張っても、周方向へ径変化量が小さい浅いすり割り部の形成箇所に引っ掛かるため抜けることがない。
従って、着脱時に引っ張り力が作用する他方の筒体の抜けを確実に防止することができる。
【０００８】
第三の発明によれば、一方の筒体の外側面に沿って装飾リングを軸方向へ圧入嵌合し、この装飾リング２の外側面２ａに、その軸方向へ係合する滑り止め部２ｂを形成することにより、一方の筒体を軸方向へ移動する時に装飾リングの滑り止め部２ｂを持って、その抜け方向へ引っ張っても、周方向へ径変化量が小さい浅いすり割り部の形成箇所に引っ掛かるため抜けることがない。
従って、装飾リングの抜けを確実に防止することができる。
【発明を実施するための最良の形態】
【０００９】
本発明の筆記具用嵌合構造は、図１〜図３に示す如く、筆記具Ａの構成部品のうち、例えば軸筒などを構成するために分割形成された複数の筒体１，２を相互に連結させるものであり、その互いに重なり合う筒体１，２のどちらか一方に、軸方向へ延びるすり割り部３を切欠形成し、他方の筒体２を圧入して該すり割り部３の隙間を狭くするか又は広くすることにより、その外径を縮径又は拡径変化させて、両筒体１，２同士を嵌合したまま取り付けている。
【００１０】
このすり割り部３が切欠形成される一方の筒体１は、弾性変形可能な軟質合成樹脂や金属などで形成され、また他方の筒体２は一方の筒体１の材質よりも硬く弾性変形し難い硬質合成樹脂や金属で形成される。
【００１１】
前記すり割り部３は、一方の筒体１に対してその周方向へ複数切欠形成し、これらすり割り部３のどれか１つを他のすり割り部の軸方向（図面では上下方向）長さよりも深く形成することにより、深いすり割り部が形成される筒体１の箇所は、部分的に径変化量が大きく、浅いすり割り部が形成される筒体１の箇所は、部分的に径変化量が小さくなるようにして、該筒体１は周方向へ径変化量の偏り（片寄り）を生じされている。
以下、本発明の一実施例を図面に基づいて説明する。
【実施例１】
【００１２】
この実施例１は、図１（ａ）（ｂ）〜図３に示す如く、上記一方の筒体１が、筆記具Ａの軸筒Ａ１の後端に配置した尾栓キャップであり、この尾栓キャップ１の後端に切欠形成した複数のすり割り部３のどれか１つを他のすり割り部の軸方向長さよりも深くすると共に、各隙間を狭くして該尾栓キャップ１の後端側の外径を縮径させることにより、その外側面１ａ沿いに他方の筒体２として装飾リングを軸方向へ圧入し、これら両者を嵌合して少なくとも軸方向へ移動不能に取り付ける場合を示している。
【００１３】
そして、前記筆記具Ａは、図３に示す如く、例えば特開２００５−１１１８７６号公報に開示されるような、その軸筒Ａ１の後端側に、シャープペンシル（図示せず）が接続される開閉可能なクリップ４と、複数色のボールペン（図示せず）が夫々接続される複数の押子５とを備え、選択された１つのクリップ４又は押子５を各案内孔Ａ２に沿って軸方向へスライド操作することにより、シャープペンシル又はボールペンの筆記部（図示せず）を軸筒Ａ１前端の先口（図示せず）から出没させると共に、このシャープペンシルの筆記部が突出した状態で、前記クリップ４をノック操作することにより、該筆記部から鉛芯（図示せず）を繰り出す構造のものを示している。
【００１４】
この筆記具Ａの軸筒Ａ１の後端には、円柱状の消しゴム６が着脱自在に収納される収納筒部Ａ３を一体的に突設し、この収納筒部Ａ３の外周面に対して上記尾栓キャップ１を着脱自在に挿着している。
図示例では、これら軸筒Ａ１後端の収納筒部Ａ３と尾栓キャップ１を夫々円筒状に形成して嵌合させている。
なお、これら軸筒Ａ１後端の収納筒部Ａ３と尾栓キャップ１を、夫々断面多角形の角筒状に形成して嵌合させることも可能である。
【００１５】
上記尾栓キャップ１は、図１（ａ）（ｂ）及び図２に示す如く、円筒状又は角筒状に形成され、その外面に沿って外側面１ａを凹設し、該外側面１ａの後端をドーム型に閉鎖して、この閉鎖面１ｂの中心位置から放射状にすり割り部３を、図示例では周方向へ等間隔毎に３本切欠形成し、これらすり割り部３ａ，３ｂ，３ｃのうちどれか１つ（本実施例では３ａ）を外側面１ａまで延長して、他のすり割り部３ａの軸方向長さよりも深くしている。
なお、該すり割り部３を周方向へ２本又は４本以上切欠形成することも可能である。
【００１６】
この尾栓キャップ１の前端には、上記軸筒Ａ１の収納筒部Ａ３と略同径の開口部１ｃを開設し、これら開口部１ｃと軸筒Ａ１の収納筒部Ａ３との間には、図３に示す如く、互いに係合する抜け止め用の係止部１ｄを夫々形成することが好ましい。
【００１７】
また、上記装飾リング２の外側面２ａには、その軸方向へ係合する滑り止め部２ｂを形成することが好ましく、図示例では該滑り止め部２ｂとして、周方向へ環状の凹部を軸方向へ複数凹設している。
【００１８】
更に、上記尾栓キャップ１の外側面１ａと前記装飾リング２の内側面２ｃは、本実施形態の好ましい一例によれば、これら両者の圧入方向（図面では上下方向）へ向かって徐々に拡径するテーパー状に形成することが好ましい。
なお、この尾栓キャップ１の外側面１ａと装飾リング２の内側面２ｃは、これら両者の圧入方向へ同径の円筒状に形成することも可能である。
【００１９】
次に、斯かる筆記具用嵌合構造の作用効果について説明する。
尾栓キャップ１のドーム型閉鎖面１ｂにおいて、その周方向全周に亘り均等な外力が中心へ向けて作用すると、図２に示すように、軸方向へ深いすり割り部３ａが形成された箇所は縮径量が大きくなり、浅いすり割り部３ｂが形成された箇所は縮径量が小さくなって、周方向へ縮径量の偏りが生じる。
【００２０】
そのため、縮径量の偏りを利用して、図１（ａ）（ｂ）及び図２に示すように、装飾リング２を尾栓キャップ１のドーム型閉鎖面１ｂに沿って押し込むと、縮径量が大きい深いすり割り部３ａからスムーズに入り始めて、強い力で押し込まなくても、装飾リング２の内側面２ｃが尾栓キャップ１の外側面１ａに嵌合する。
【００２１】
この嵌合状態で、尾栓キャップ１から装飾リング２の抜け方向へ力が作用しても、周方向へ縮径量が小さい浅いすり割り部３ｂの形成箇所があるため、これに引っ掛かって抜け難い。
よって、簡単な構造でありながら、尾栓キャップ１に対する装飾リング２の入れ易さと抜け難さを両立させることができる。
【００２２】
更に、軸筒Ａ１後端の収納筒部Ａ３に対し、装飾リング２が圧入嵌合された尾栓キャップ１を挿着した状態で、この尾栓キャップ１を取り外すには、その度に装飾リング２を指で摘みながら引っ張ることになる。
【００２３】
即ち、このような尾栓キャップ１の取り外し時には、装飾リング２の圧入方向と逆の抜け方向へ引っ張ることから、特に抜け易い状況となるが、上述したように装飾リング２が抜け方向へ引っ張られても、周方向へ縮径量が小さい浅いすり割り部３ｂの形成箇所に引っ掛かるため抜けることがない。
その結果、着脱時に引っ張り力が作用する装飾リング２の抜けを確実に防止できる。
【００２４】
尚、上述した実施例では、一方の筒体１が筆記具Ａの軸筒Ａ１の後端に配置した尾栓キャップであり、その外周面１ａ沿いに他方の筒体２として装飾リングを圧入嵌合した場合を示したが、これに限定されず、図示せぬが尾栓キャップ１に代えて、シャープペンシルの後端に配置されるノックキャップに装飾リングを圧入嵌合したり、軸筒の外周面沿いに他方の筒体２として装飾リングやグリップや先口金具を圧入嵌合させる際に利用しても良い。
【００２５】
更に、例えば実開昭６４−４８２９３号公報に開示される如く、軸筒を分割構成する前軸と後軸の端部同士を相互に連結する際に、本発明の筆記具用嵌合構造を利用することも可能である。
【００２６】
また、上記筆記具Ａによれば、クリップ４又は押子５のスライド操作により、シャープペンシル又はボールペンの筆記部を軸筒Ａ１前端の先口から出没させる構造を示したが、本発明は、これに限定されず、それ以外の構造のボールペンやシャープペンシルやフェルトペンなどであっても良い。
【図面の簡単な説明】
【００２７】
【図１】本発明の筆記具用嵌合構造の一実施例を示す斜視図で、（ａ）が嵌合前の状態を示し、（ｂ）が嵌合後の状態を示している。
【図２】図１（ａ）の（２）−（２）線に沿える縦断側面図であり、嵌合途中を実線で示し、嵌合後の状態を二点鎖線で示している。
【図３】筆記具に対する尾栓キャップの設置状態を示す縮小斜視図である。
【符号の説明】
【００２８】
Ａ  筆記具                            Ａ１  軸筒
１  筒体                              １ａ  外側面
２  筒体                              ２ａ  外側面
２ｂ  滑り止め部                      ３  すり割り部
【図１】
0004690172.tif 000002
【図２】
0004690172.tif 000003
【図３】
0004690172.tif 000004